(57)【要約】【課題】入力された色補正データの内容を、表示中の映像に反映させることを可能とする映像表示システムを提供する。【解決手段】映像表示システム１において、映像データから、ビットマップ形式のデジタル映像信号を生成する。ＬＥＤユニット３ごとに色補正を行うための補正データから、ビットマップ形式の補正ビットマップデータを生成する。デジタル映像信号から、各ＬＥＤユニット３を制御するための制御信号データを生成する。補正ビットマップデータから、各ＬＥＤユニット３についての補正値を示す補正クロックを生成する。制御信号データと補正クロックとを、フレームごとに対応するＬＥＤユニット３に送信する。ＬＥＤ表示盤２は、前記表示制御装置から受信した前記制御信号データ及び前記補正クロックに基づき、前記発光要素の制御を行う。【選択図】図１
2012203118.tif 000002
【特許請求の範囲】
【請求項１】
複数の発光要素を有し、該複数の発光要素からの光を用いて映像を表示するディスプレイ装置と、各発光要素を制御して映像を前記ディスプレイ装置に表示させるための制御データを生成する表示制御装置とを有する映像表示システムであって、
前記表示制御装置は、
映像データから、ビットマップ形式のデジタル映像信号を生成するデジタル映像生成部と、
前記発光要素ごとに色補正を行うための補正データから、ビットマップ形式の補正ビットマップデータを生成する補正ビットマップデータ生成部と、
前記デジタル映像信号から、各発光要素を制御するための制御信号データを生成する制御信号データ生成部と、
前記補正ビットマップデータから、各発光要素についての補正値を示す補正クロックを生成する補正クロック生成部と、
前記前記制御信号データと前記補正クロックとを、フレームごとに対応する発光要素に送信する送信部と、
を備え、
前記ディスプレイ装置は、
前記表示制御装置から受信した前記制御信号データ及び前記補正クロックに基づき、前記発光要素の制御を行う制御部と
を備える
ことを特徴とする映像表示システム。
【請求項２】
前記前記デジタル映像信号及び前記補正ビットマップデータは、ＤＶＩ（Digital Visual Interface）規格のデュアルリンクを利用して、フレームごとに送信される
ことを特徴とする請求項１記載の映像表示システム。
【請求項３】
前記補正ビットマップデータ生成部は、前記発光要素の補正値を示すビット列を分割して複数のビット列を生成し、該分割により得られる複数のビット列をそれぞれ含む補正ビットマップデータを複数生成し、該複数の補正ビットマップデータを１つのフレームで送出させる
ことを特徴とする請求項１または、請求項２記載の映像表示システム。
【請求項４】
前記表示制御装置は、
前記複数の補正ビットマップデータを受信した場合には、前記分割された複数のビット列を合成して１つのビット列を生成する合成部と
を更に備え、
前記補正クロック生成部は、前記合成部において合成して得られるビット列に基づき、前記補正クロックを生成する
ことを特徴とする請求項１または、請求項３記載の映像表示システム。
【請求項５】
前記補正クロック生成部は、前記補正ビットマップデータに含まれる前記発光要素の補正値を参照し、該補正値と対応するクロック幅の補正クロックを生成し、
前記制御部は、前記補正クロックを参照して、前記制御信号データが示す期間に渡って前記発光要素を点灯させる
ことを特徴とする請求項１または請求項３記載の映像表示システム。
【請求項６】
複数の発光要素を有し、該複数の発光要素からの光を用いて映像を表示するディスプレイ装置と、各発光要素を制御して映像を前記ディスプレイ装置に表示させるための制御データを生成する表示制御装置とを有する映像表示システムにおいて、色補正を行う方法であって、
前記表示制御装置において、
映像データから、ビットマップ形式のデジタル映像信号を生成し、
前記発光要素ごとに色補正を行うための補正データから、ビットマップ形式の補正ビットマップデータを生成し、
前記デジタル映像信号から、各発光要素を制御するための制御信号データを生成し、
前記補正ビットマップデータから、各発光要素についての補正値を示す補正クロックを生成し、
前記前記制御信号データと前記補正クロックとを、フレームごとに対応する発光要素に送信し、
前記ディスプレイ装置において、
前記表示制御装置から受信した前記制御信号データ及び前記補正クロックに基づき、前記発光要素の制御を行う
ことを特徴とする色補正方法。
【請求項７】
複数の発光要素を有し、該複数の発光要素からの光を用いて映像を表示するディスプレイ装置と接続され、各発光要素を制御して映像を前記ディスプレイ装置に表示させるための制御データを生成する表示制御装置であって、
映像データから、ビットマップ形式のデジタル映像信号を生成するデジタル映像生成部と、
前記発光要素ごとに色補正を行うための補正データから、ビットマップ形式の補正ビットマップデータを生成する補正ビットマップデータ生成部と、
前記デジタル映像信号から、各発光要素を制御するための制御信号データを生成する制御信号データ生成部と、
前記補正ビットマップデータから、各発光要素についての補正値を示す補正クロックを生成する補正クロック生成部と、
前記前記制御信号データと前記補正クロックとを、フレームごとに対応する発光要素に送信する送信部と、
を備えることを特徴とする表示制御装置。
【発明の詳細な説明】
【技術分野】
【０００１】
本発明は、複数の発光要素を有し、複数の発光要素が発する光を用いて映像を表示する映像表示システムに関し、特に、各発光要素が発する光を補正して映像を表示する映像表示システムに関する。
【背景技術】
【０００２】
ＬＥＤ（Light Emitting Diode）やプラズマチューブアレイ等の発光要素が発する光を用いてディスプレイに映像を表示する映像表示システムにおいては、発光要素間のばらつきを抑えるため、色補正を行っている。例えば、Ｒ（Red）Ｇ（Green）Ｂ（Blue）の３色のＬＥＤ発光素子を組み合わせたＬＥＤユニットを用いる表示盤についての、従来の色補正の方法について説明する。
【０００３】
図１５は、従来における映像表示システムの全体構成図である。従来の映像表示システム１００の映像出力装置１０４は、ＬＥＤ表示盤１０２に表示させる映像を、映像制御装置１０５、分配装置１０６及び受信装置１０７を介して送信する。色補正ＰＣ（Personal Computer）１０８は、ＬＥＤ表示盤１０２に配置されているＬＥＤユニット１０３の色補正を行うために設けられる。色補正ＰＣ１０８は、補正データを映像表示システム１００に入力するための端末であり、映像制御装置１０５を介して、あるいはＬＥＤ表示盤１０２に直接に、映像表示システム１００に接続される。
【０００４】
図１６は、従来における映像制御装置１０５のブロック図であり、図１７は、従来における受信装置１０７のブロック図である。映像制御装置１０５を介して、分配装置１０６に送信する。色補正データは、分配装置１０６においてＬＥＤユニットの配置位置に応じて分配され、所定の受信装置１０７に送信される。受信装置１０７は、受信した補正データからＬＥＤ表示盤１０２上のＬＥＤユニット１０３の位置ごとに、対応する補正データを取り出して、ＬＥＤユニット１０３に対して送信する。ＬＥＤユニット１０３は、受信した補正データをＬＥＤユニット１０３内のＲＯＭ（Read Only Memory）等に記憶し、記憶した補正データを用いて、ＬＥＤ表示盤１０２に表示する映像の色補正を行う。
【０００５】
例えば、色補正に関しては、ＯＬＥＤディスプレイに物理的に固定され、ＯＬＥＤディスプレイのための均一性補正情報を記憶する不揮発性メモリから補正情報を読み出して入力信号を補正し、補正された入力信号をＯＬＥＤディスプレイに送る技術が知られている（例えば、特許文献１）。また、受信機３からのディジタル映像信号と、ディジタル映像信号とは別系統の制御信号とが入力される色補正処理部４において、映像データを補正する技術についても知られている（例えば、特許文献２）。
【先行技術文献】
【特許文献】
【０００６】
【特許文献１】特表２００８−５０７７２９号公報
【特許文献２】特開２０００−１１２４２９号公報
【発明の概要】
【発明が解決しようとする課題】
【０００７】
従来は、ＬＥＤ表示盤においてＬＥＤユニット内のＲＯＭに記憶している色補正データの書き替えを行っている間は、映像を表示させることができなかった。また、新しく書き替えられた色補正データを表示に反映させるためには、ＬＥＤ表示盤の電源を一旦オフにし、改めて電源を投入し直す必要がある。このため、ＬＥＤ表示盤に映像を表示している間は、色補正の作業を完了させることができなかった。
【０００８】
本発明は、入力された色補正データの内容を、表示中の映像に反映させることを可能とする映像表示システムを提供することを目的とする。
【課題を解決するための手段】
【０００９】
本発明の一態様によれば、複数の発光要素を有し、該複数の発光要素からの光を用いて映像を表示するディスプレイ装置と、各発光要素を制御して映像を前記ディスプレイ装置に表示させるための制御データを生成する表示制御装置とを有する映像表示システムであって、前記表示制御装置は、映像データから、ビットマップ形式のデジタル映像信号を生成するデジタル映像生成部と、前記発光要素ごとに色補正を行うための補正データから、ビットマップ形式の補正ビットマップデータを生成する補正ビットマップデータ生成部と、前記デジタル映像信号から、各発光要素を制御するための制御信号データを生成する制御信号データ生成部と、前記補正ビットマップデータから、各発光要素についての補正値を示す補正クロックを生成する補正クロック生成部と、前記前記制御信号データと前記補正クロックとを、フレームごとに対応する発光要素に送信する送信部と、を備え、前記ディスプレイ装置は、前記表示制御装置から受信した前記制御信号データ及び前記補正クロックに基づき、前記発光要素の制御を行う制御部とを備える構成とする。
【００１０】
また、本発明の他の態様によれば、複数の発光要素を有し、該複数の発光要素からの光を用いて映像を表示するディスプレイ装置と、各発光要素を制御して映像を前記ディスプレイ装置に表示させるための制御データを生成する表示制御装置とを有する映像表示システムにおいて、色補正を行う方法であって、前記表示制御装置において、映像データから、ビットマップ形式のデジタル映像信号を生成し、前記発光要素ごとに色補正を行うための補正データから、ビットマップ形式の補正ビットマップデータを生成し、前記デジタル映像信号から、各発光要素を制御するための制御信号データを生成し、前記補正ビットマップデータから、各発光要素についての補正値を示す補正クロックを生成し、前記前記制御信号データと前記補正クロックとを、フレームごとに対応する発光要素に送信し、前記ディスプレイ装置において、前記表示制御装置から受信した前記制御信号データ及び前記補正クロックに基づき、前記発光要素の制御を行う構成とする。
【発明の効果】
【００１１】
本発明によれば、入力された色補正データの内容を、表示中の映像に反映させることが可能となる。
【図面の簡単な説明】
【００１２】
【図１】実施形態に係る映像表示システムの全体構成図である。
【図２】映像制御装置のブロック図である。
【図３】受信装置のブロック図である。
【図４】色補正ＰＣから入力される色補正データを説明する図である。
【図５】ＤＶＩ−Ｄ規格のコネクタ及びピン配列について説明する図である。
【図６】色補正データの伝送方法を説明する図である。
【図７】ＬＥＤドットの配置とアドレスの関係を示す図である。
【図８】補正ビットマップデータの構造例を説明する図である。
【図９】補正ビットマップデータの具体例を示す図である。
【図１０】色補正データに関するビットの割り当て方法を説明する図である。
【図１１】ビット列を合成して色補正データを得る方法を説明する図である。
【図１２】ＬＥＤのクロック幅を変更することによる色補正を説明する図である。
【図１３】補正クロック生成処理を説明する図である。
【図１４】補正クロックにしたがってＬＥＤを制御する方法を説明する図である。
【図１５】従来における映像表示システムの全体構成図である。
【図１６】従来における映像制御装置のブロック図である。
【図１７】従来における受信装置のブロック図である。
【発明を実施するための形態】
【００１３】
以下、本発明の実施の形態について、図面を参照して詳細に説明する。以下においては、発光要素としてＬＥＤユニットを利用するディスプレイ装置に映像を表示させる映像表示システムを例に説明することとする。
【００１４】
図１は、本実施形態に係る映像表示システムの全体構成図である。図１に示す映像表示システム１は、ＬＥＤ表示盤２、映像出力装置４、映像制御装置５、分配装置６、受信装置７及び色補正ＰＣ８を有する。
【００１５】
ＬＥＤ表示盤２は、複数のＬＥＤユニット３により構成される。
ここで、ＬＥＤユニット３は、例えば、縦１６個、横１６個に配列された複数のＬＥＤドット３ａにより構成されている。また、１つのＬＥＤドット３ａ内には、発光要素として、赤色を発光する赤色ＬＥＤ発光素子３ｒと、緑色を発光する緑色ＬＥＤ発光素子３ｇと、青色を発光する青色ＬＥＤ発光素子３ｂとにより一組の画素用のドットが形成されている。このＲ、Ｇ、Ｂ、３つのＬＥＤ発光素子３ｒ，３ｇ，３ｂの点灯時における明るさを制御することによりＬＥＤドット３ａの表示をフルカラーで表示することが可能となる。また、このＬＥＤユニット３（ＬＥＤドット３ａ）を複数配列することにより、映像を表示させることも可能となる。本実施例では、ＬＥＤユニット３を縦１６個、横１６個のＬＥＤドットとしたが、これに限らず、これ以外（８×１６ドットや２４×２４ドットのＬＥＤユニット他）の構成でもよい。また、ＲＧＢの３色を１つのＬＥＤドット３ａの構成（３チップイン）としたが、各ＬＥＤドットを単色のＬＥＤ発光素子とし、Ｒ、Ｇ、Ｂのドットの配列によりフルカラーを表示できる構成等でもよく、これに限らない。
【００１６】
映像出力装置４は、ＬＥＤ表示盤２に表示させる映像データを保有している。映像出力装置４は、デジタル映像生成部を有し、デジタル映像生成部は、映像データをＬＥＤ表示盤２に表示させるためのデジタル映像信号を生成し、映像制御装置５へ出力する。具体的には、映像出力装置４は、ＤＶＩ（Digital Visual Interface）映像信号を生成して出力する。
【００１７】
色補正ＰＣ８は、ＬＥＤユニット３内にあるＲ、Ｇ、Ｂ、３つのＬＥＤ発光素子３ｒ，３ｇ，３ｂの色補正を行うための色補正データを入力するための端末である。
映像制御装置５は、映像出力装置４から受信したＤＶＩ映像信号から、映像用の画面データを生成し、色補正ＰＣ８から入力された色補正データから、補正用の画面データを生成する。そして、映像制御装置５は、生成した映像用の画面データ及び補正用の画面データ、並びにこれら画面データ生成の際に生成したＤＶＩ制御信号を、ＬＥＤ表示盤２側に向けて送出する。分配装置６は、受信装置７が複数設けられている場合には、映像制御装置５から受信したこれらのデータをＬＥＤユニット３の位置に応じて振り分け、対応する受信装置７にデータを転送する。
【００１８】
なお、映像用の画面データとは、ＬＥＤ表示盤２に表示させる映像のデータをいう。映像用の画面データの生成方法については、公知の技術を用いているため、ここでは、詳細な説明は割愛する。補正用画面データとは、映像用の画面データを色補正するためのデータをいう。補正用の画面データの生成方法等については、後に詳しく説明する。
【００１９】
受信装置７は、分配装置６を介して受信した映像用画面データからＬＥＤ制御信号を生成する。また、受信装置は、同様に分配装置６を介して映像用画面データとともに受信した補正用画面データから、色補正用の信号を生成する。そして、受信装置７は、生成した色補正用の信号を含むＬＥＤ制御データを、各ＬＥＤユニット３に向けて送信する。
【００２０】
ＬＥＤ表示盤２は、制御部が受信した色補正用の信号を含むＬＥＤ制御データを、各ＬＥＤユニット３（ＬＥＤユニット３内のＬＥＤ発光素子３ｒ，３ｇ，３ｂ）に対して色補正を施し、映像を表示させる。尚、映像出力装置４、映像制御装置５、分配装置６、受信装置７等を個別の機器として記載しているが、これに限らず、１つの表示情報を制御する表示制御装置として取り扱うことも可能である。
【００２１】
図２は、映像制御装置５のブロック図である。図２に示す映像制御装置５は、ＤＶＩレシーバ５１、映像信号格納部５２、メモリ展開部５３、ＤＶＩ制御信号生成部５４、ＤＶＩドライバ部５５、ＲＳ２３２Ｃ送受信部５６、補正データ格納部５７、補正データ展開部５８、ＣＰＵ（Central Processing Unit）５９及びビットマップデータ変換部６０を有する。
【００２２】
ＤＶＩレシーバ５１は、映像出力装置４からＤＶＩ映像信号を受信する。映像信号格納部５２は、ＤＶＩレシーバ５１において受信したＤＶＩ映像信号を格納する。メモリ展開部５３は、映像信号格納部５２に格納されているＤＶＩ映像信号を読み出し、メモリ展開部５３のメモリに必要な領域を割り当てて保存する。これを展開するという。
【００２３】
一方、ＲＳ２３２Ｃ送受信部５６は、ＲＳ２３２Ｃケーブルで接続されている色補正ＰＣ８から、色補正データを受信する。補正データ格納部５７は、例えばフラッシュメモリ等の不揮発メモリからなり、補正データを格納する。補正データ展開部５８は、例えばＳＲＡＭ（Static Random Access Memory）等のメモリからなり、補正データを必要な領域に割り当てて保存する（展開する）。ＣＰＵ５９は、ＲＳ２３２Ｃ送受信部５６において受信した補正データの補正データ格納部５７への格納処理や、補正データ展開部５８における補正データの展開処理等を制御する。ここで、補正データ格納部５７と補正データ展開部５８を、別部としているが、これは、現在の２種類のメモリの特性を使用した場合であり、両方の特性を有していればこれに限らず１つのメモリであってもよい。また、例えば、補正データ展開部５８（ＳＲＡＭ）を２つ有するとすると、色補正ＰＣ８から送信されてきた最初の色補正データを、まず補正データ格納部５７に保存する。補正データ格納部５７に保存された最初の色補正データは、次に補正データ展開部５８ａへ送信され展開される。展開が完了すると、補正データ展開部５８ａで展開された最初の色補正データは、ＣＰＵ５９の制御により補正データ展開部５８ａの色補正データがビットマップデータ変換部６０に送信されるようになる。このため、補正データ格納部５７は、一時的に不使用となり、次の色補正データが受信可能となる。その後、２番目の色補正データが受信された時、補正データ格納部５７は、２番目の色補正データに保存データを書き換える。そして、２番目の色補正データに書き換えが完了すると、ＣＰＵ５９の制御により２番目の色補正データは、もう一方の補正データ展開部５８ｂへ送信され展開される。補正データ展開部５８ｂで色補正データの展開が完了すると、ＣＰＵ５９は、色補正データの送信指示を補正データ展開部５８ａから補正データ展開部５８ｂに切り替える。このように、２つの補正データ展開部を有し切替えることにより、運用中でも表示を消すことなく色補正データの送信を切替えることが可能となる。
【００２４】
ビットマップデータ変換部６０（補正ビットマップデータ生成部）は、色補正データをビットマップデータに変換し、上記の補正用画面データを生成する。以下においては、ビットマップ形式の色補正データを、「補正用画面データ」あるいは「補正ビットマップデータ」とする。
【００２５】
ＤＶＩ制御信号生成部５４は、映像の表示に係わるＤＶＩ制御信号を生成する。
ＤＶＩドライバ部５５は、デュアルリンクＤＶＩを介して、映像用画面データ、補正用画面データ（ビットマップデータ）及びＤＶＩ制御信号を、分配装置６を介して受信装置７へと送出する。
【００２６】
図３は、受信装置７のブロック図である。図３に示す受信装置７は、ＤＶＩレシーバ７１、切出部７２、取込位置設定スイッチ（ＳＷ）部７３、ＬＥＤ制御信号生成部７４、取出部７６、補正データ合成部７７、補正クロック生成部７８及びデータ振分部７５を有する。
【００２７】
ＤＶＩレシーバ７１は、分配装置６から映像用画面データ、補正用画面データ及びＤＶＩ制御信号を受信する。
取込位置設定スイッチ部７３は、受信したＤＶＩ制御信号を参照して、ＬＥＤ表示盤２の表示画面のどの部分についての映像及び補正のデータを取り込むかを設定する。切出部７２は、取込位置設定スイッチ部７３の設定にしたがって、分配装置６から受信したデータの中から、ＬＥＤユニット３の位置に応じた映像用及び補正用画面データを切り出し、これにより、各ＬＥＤユニット３についての映像用画面データ及び補正用画面データが切り分けられる。
【００２８】
ＬＥＤ制御信号生成部７４（制御信号データ生成部）は、切出部７２において切り出した映像用画面データから、ＬＥＤユニット３のＬＥＤドット３ａを制御するためのＬＥＤ制御信号データを生成する。
【００２９】
取出部７６は、切出部７２において切り出したビットマップ形式の補正用画面データから、解像度及び補正ビット数を取得する。補正データ合成部７７は、取出部７６において取得した解像度及び補正ビット数に基づいて、必要な場合には、切出部７２で切り出した補正ビットマップデータの合成処理を行う。補正ビットマップデータの合成処理の詳細については、図１０や図１１を参照して、詳しく説明する。補正クロック生成部７８は、必要な場合は合成をして得られた補正ビットマップデータから、ＬＥＤユニット３に含まれるドット３ａ内のＲ、Ｇ、Ｂの３つのＬＥＤ発光素子３ｒ，３ｇ，３ｂのそれぞれについての補正値を示す補正クロックを生成し、出力する。補正クロックに関しては、図１２〜図１４を参照して説明する。
【００３０】
データ振分部７５（送信部）は、ＬＥＤ制御信号と補正クロックとを、対応するＬＥＤユニット３に送信する。
上記のとおり、図２の映像制御装置５のメモリ展開部５３で展開して得られる映像用画面データは、実際にＬＥＤ表示盤２に表示される映像についてのデータである。これに対して、ビットマップデータ変換部６０で変換処理を実行して得られる補正用画面データは、デュアルリンクＤＶＩを利用して送信されるが、ＬＥＤ表示盤２には表示されない。補正用画面データは、デュアルリンクＤＶＩにより同一フレームで送信される映像用画面データの内容をＬＥＤ表示盤２に表示させる際の色補正に利用する。しかし、補正データは、ビットマップデータ変換部６０において、映像用画面データと同様に、ドットごと、すなわち、ＬＥＤユニット３のＲＧＢそれぞれのＬＥＤ発光素子（３ｒ，３ｇ，３ｂ）について８ビットずつを割り当てて、ビットマップデータに変換された上で伝送される。このように、本実施形態に係る映像表示システム１においては、色補正に係わるデータを映像データと同様の形式のビット列で設定する。そして、ＤＶＩデュアルリンクを用いて、一方の系統を利用して映像用画面データを伝送しつつ、他方の系統を利用して色補正に係わるデータの伝送を行う。このことから、ビットマップ形式で伝送される補正用のデータを、「補正用画面データ」と表記している。
【００３１】
次に、補正用画面データを生成する方法、ＬＥＤ表示盤２の各ＬＥＤユニット３に補正データを伝送する方法、補正用画面データを利用して色補正を行う方法について、順次説明していく。
【００３２】
図４は、色補正ＰＣ８から入力される色補正データを説明する図である。ここでは、ＬＥＤ表示盤２の表示部の解像度が１２８０×１０２４ドットであり、各色について２５６階調で表現する場合を例に説明する。
【００３３】
色補正ＰＣ８からは、ＬＥＤドット３ａのアドレスごとに、ＲＧＢのＬＥＤ発光素子（３ｒ，３ｇ，３ｂ）の輝度値を色補正データとして入力する。図４（ａ）に示す例では、１２８０×１０２４＝１３１０７２０個のドットに対して、０番〜１３１０７１９番のアドレスを割り当てて、ＲＧＢのＬＥＤ発光素子（３ｒ，３ｇ，３ｂ）についての輝度の補正値が設定されている。例えば０番地のＬＥＤドット３ａについては、Ｒ（赤色ＬＥＤ発光素子３ｒ）については「２５５」、Ｇ（緑色ＬＥＤ発光素子３ｇ）は「２５０」、Ｂ（青色ＬＥＤ発光素子３ｂ）は「２５２」に補正するよう設定されている。
【００３４】
図４（ｂ）は、図４（ａ）の色補正データをビット列で表した図である。アドレス順にＬＥＤドット３ａのＲＧＢの補正値を設定し、１個のＬＥＤドット３ａについての（すなわち、あるアドレスについて設定された）ＲＧＢごとの階調の補正値は、Ｒ、Ｇ、Ｂの順で設定する。アドレスは、２１ビットのビット列で表され、ＲＧＢの各補正値は、それぞれ８ビットのビット列で表される。例えば、０番地「０００００００００００００００００００００」については、Ｒの補正値・２５５を表すビット列は「１１１１１１１１」であり、Ｇの階調値・２５０を表すビット列「１１１１１０１０」、Ｂの階調値・２５２を表すビット列「１１１１１１００」が、この順で設定されている。
【００３５】
色補正ＰＣ８は、図４（ａ）の色補正データが入力されると、図４（ｂ）に例示するビット列を生成して、映像制御装置５に送信する。映像制御装置５は、図４（ｂ）に示すビット列から補正用画面データ（補正ビットマップデータ）を生成し、デュアルリンクＤＶＩを利用して分配装置６に送信する。
【００３６】
図５は、ＤＶＩ−Ｄ（Digital Visual Interface Digital）規格のコネクタ及びピン配列について説明する図である。図５（ａ）及び図５（ｂ）は、それぞれＤＶＩシングルリンクにおけるコネクタ及びピン配列を示す図である。ＤＶＩ−Ｄ規格のコネクタでは、２系統の映像信号を伝送が可能であるが、１系統のみを使用しており、２系統目は未使用となっている。
【００３７】
図５（ｃ）及び図５（ｄ）は、それぞれＤＶＩデュアルリンクにおけるコネクタ及びピン配列を示す図である。本実施形態に係る映像表示システム１は、一方の系統を映像用画面データの伝送に利用する。他方の系統は、色補正ＰＣ８から入力される色補正データから生成した補正ビットマップデータの伝送に利用する。
【００３８】
図６は、色補正データの伝送方法を説明する図である。ＤＶＩデュアルリンクを利用して、２系統のうち一方で１２８０×１０２４ドット分の映像用画面データをＬＥＤ表示盤２に伝送するとき、これとともに、１２８０×１０２４ドットの解像度の画面について色補正を行うための補正用画面データを伝送する。図４を参照して説明したとおり、色補正データは、映像制御装置５でビットマップ形式の補正用画面データに変換されてＬＥＤ表示盤２まで伝送されるため、ＤＶＩデュアルリンクの１系統目を用いて１フレーム分の映像データを伝送するときに、併せて２系統目を利用して色補正データを伝送することとなる。ＬＥＤ表示盤２は、映像データとともに伝送される色補正データを用いて色補正を行うので、従来のように、新たに補正値が設定し直された場合等に、その補正を表示に反映させるために、ＬＥＤ表示盤２の電源を一旦オフにしてから再度電源をオンに切り替えることが不要となる。また、ＬＥＤユニット３ごとにＲＯＭ等の記憶手段を設けなくとも、フレームごとに映像データとともに受信する色補正データを用いて色補正を行うことが可能となる。
【００３９】
なお、ＤＶＩデュアルリンクを利用して、２系統を利用して映像データと色補正に係わるデータとを送信する方法によれば、映像が途切れている間は色補正データの伝送も行われない。しかし、映像が途切れている間は、ＬＥＤ表示盤２に映像を表示させていないため、色補正のデータも不要であり、これにより問題が生じることはない。
【００４０】
補正用画面データについて、図７〜図９を参照して説明する。
図７は、ＬＥＤドット３ａの配置とアドレスの関係を示す図である。上記と同様に、１２８０×１０２４ドットの例を示す。
【００４１】
１ライン目には、１２８０個のＬＥＤドット３ａが配置されている。アドレスは、映像データの伝送順序に準じて割り当てられているため、１ライン目のアドレスは、０番地〜１２７９番地となる。２ライン目は、１２８０番地からとなる。以下同様に、ｎライン目のアドレスは、１２８０×（ｎ−１）番地〜（１２８０×ｎ−１）番地となる。
【００４２】
図８は、補正ビットマップデータの構造例を説明する図である。図８中に示すＶＳＹＮＣ（垂直同期信号）は、ＬＥＤ表示盤２の垂直方向の走査位置及び走査タイミングを判断するための信号である。映像データは、ＶＳＹＮＣにしたがって、１フレームずつ表示される。
【００４３】
補正ビットマップデータの先頭のＢＬＡＮＫ部には、水平方向解像度、垂直方向解像度及び補正データビット数を表す１０ビットからなるビット列がそれぞれ設定される。図８に示す例では、水平方向解像度が６４０ドットであることを表すビット列「１０１０００００００」が、垂直方向解像度が４８０ドットであることを表すビット列「０１１１１０００００」が、補正データビット数が１６ビットであることを表すビット列「０００００１００００」が設定されている。ＢＬＡＮＫ部に設定されているビット列を参照することにより、受信装置７は、水平方向及び垂直方向解像度、補正データビット数を認識する。後述するとおり、補正データビット数が８ビット超である場合は、合成処理を行う。
【００４４】
ＲＧＢのそれぞれについては、１フレームにつき０番地〜１３１０７１９番地の階調値が、それぞれ８ビットで設定されている。例えば０番地のＲの補正値は、図８の「ＲＡＤ０」のＲ０ビットデータ〜Ｒ７ビットデータに設定される。
【００４５】
以降フレームで伝送される補正ビットマップデータについても、同様のフォーマットである。
図９は、補正ビットマップデータの具体例を示す図である。ＬＥＤ表示盤２の解像度は、図７に例示する構成と同様であり、１２８０×１０２４ドットとする。また、ＢＬＡＮＫ部のビット列の値については、図８と同様であることとする。
【００４６】
図９においては、ＬＥＤドット３ａのＲＧＢそれぞれについての補正値のうち、アドレスが０番地、１番地及び１３１０７１９番地について例示する。設定されている補正値が図４のとおりであるとすると、例えば０番地のＲの補正値「２５５」を表すビット列「１１１１１１１１」の各ビット値は、ＢＬＡＮＫ部に続くそれぞれＲ０〜Ｒ７ビットデータの先頭（ＲＡＤ０）に設定される。同様に、０番地のＧの補正値「２５０」を表すビット列「１１１１１０１０」の各ビット値は、Ｇ０〜Ｇ７ビットデータの先頭（ＧＡＤ０）に設定される。１番地のＲの補正値は、０番地のＲの補正値を表すビット値の次の位置（ＲＡＤ１）に設定される。
【００４７】
受信装置７は、Ｒ０〜Ｒ７、Ｇ０〜Ｇ７、Ｂ０〜Ｂ７のビットデータを順次取り出していくことにより、先頭の番地（０番地）から順にＲＧＢの補正値を取得し、これにより、所定のＬＥＤドット３ａ（所定のアドレス）のＲＧＢの補正値を取得する。
【００４８】
上記のとおり、本実施形態に係る映像表示システム１においては、１フレーム分の映像信号に対応させて補正ビットマップデータを生成し、伝送を行っている。このため、１個のＬＥＤドット３ａのＲＧＢそれぞれの補正値には８ビットずつ、合計２４ビットを割り当てている。これは、ＤＶＩ規格における映像信号のデータフォーマットに対応させたものである。その一方で、ＬＥＤ表示盤２の解像度を低く設定した場合には、高解像度の場合と比べて、１フレームあたりの映像信号のデータ量は小さくなる。このような場合に、補正ビットマップデータについては、１台のＬＥＤドット３ａにつき２４ビットよりも多くのビットを割り当てることにより、より高精度な色補正を実現することもできる。図１０及び図１１を参照して、具体的に説明する。
【００４９】
図１０は、色補正データに関するビットの割り当て方法を説明する図である。図１０に示すとおり、ＬＥＤ表示盤２の解像度は、上記の例の１２８０×１０２４ドットよりも低解像度であり、ここでは、６４０×４８０ドットとする。
【００５０】
ＬＥＤ表示盤２の解像度が６４０×４８０ドットである場合に、１個のＬＥＤドット３ａにつき２４ビットを割り当てると、１２８０×１０２４ドットの場合と比べ、１フレームで送信する補正ビットマップデータのデータ量も小さくなる。そこで、ＬＥＤ表示盤２の解像度が低くなることにより未使用となる分を色補正データの送信に利用し、補正値をより高階調で表現する。
【００５１】
図１０においては、１個のＬＥＤドット３ａの各色の補正値に１６ビットずつを割り当てるとすると、補正ビットマップデータのデータ量は、８ビットずつを割り当てた場合のそれと比べて、２倍となることを模式的に示している。すなわち、各色８ビットずつを割り当てた場合には、補正ビットマップデータのデータ量は、基準とする映像信号のデータ量に相当するが、各色に１６ビットずつを割り当てた場合には、映像信号のデータ量（図１０においては映像用表示画面Ｄのデータ量）の倍のデータ量となる。
【００５２】
ただし、映像データを伝送するときのＤＶＩ規格に沿って補正ビットマップデータを伝送するため、実施例では、ＤＶＩデュアルリンクの２系統目を利用して各色１６ビットの補正ビットマップデータを伝送するときは、上位・下位の８ビットずつに分割して伝送する。すなわち、図１０に例示するとおり、１６ビットの補正値は、２つの補正用画面データ（補正用画面データ（１）及び補正用画面データ（２））により伝送する。
分割して送信された補正ビットマップデータを受信した受信装置７は、ビット列の合成処理を実行し、補正値を得る。
【００５３】
図１１は、ビット列を合成して色補正データを得る方法を説明する図である。ＬＥＤ表示盤２の表示部の解像度は、６４０×４８０ドット、補正ビットマップデータのデータ量は、図１０に例示するとおり、２画面分であるとする。
【００５４】
図１１（ａ）は、１個のＬＥＤドット３ａの各色の補正値に１６ビットずつを割り当てる場合の補正ビットマップデータの構造例を説明する図である。上術のとおり、１６ビットからなる補正値を表すビット列を２つに分割し、下位及び上位８ビットずつをそれぞれ補正画面（１）及び（２）に設定している。
【００５５】
なお、図１１（ａ）においては、図１０の水平方向１列分のＲＧＢ補正データを示し、２列目以降については記載を省略している。垂直方向については、図中の１列目についてと同様の構成を４８０段分用意する。
【００５６】
図１１（ｂ）は、分割して送信されたビット列を合成する方法を説明する図である。アドレス０のＲの補正値については、図１１（ａ）のアドレス０のビット列とアドレス６４１のビット列とに分割して設定されている。受信装置７の補正データ合成部７７は、Ｒ０〜Ｒ７のアドレス０に格納されているビット列「１１１０１０００」（１０進数では２３２）を下位ビット、Ｒ０〜Ｒ７のアドレス６４１に格納されているビット列「００００００１１」（１０進数では３）を上位ビットとするビット列を生成する。
【００５７】
生成した１６ビットからなるビット列「００００００１１１１１０１０００」は、１０進数では、「１０００」である。これより、アドレス０のＬＥＤドット３ａのＲの補正値は、１０００と求まる。
【００５８】
なお、図１０及び図１１においては、８ビット×２＝１６ビットのビット列で表される補正値を伝送する場合を例に説明しているが、同様の方法により、補正値を３以上に分割して伝送することにより、補正値のビット列を１６ビット超に設定することも可能である。
【００５９】
本実施形態に係る映像表示システム１においては、必要な場合には補正データ合成部７７において合成処理を実行して、補正値を求める。求めた補正値より、ＬＥＤドット３ａの各ＬＥＤ発光素子（３ｒ，３ｇ，３ｂ）のクロック幅を調整することで、色補正を行っている。図１２〜図１４を参照して、補正クロック生成部７８による色補正に係わる処理について、具体的に説明する。
【００６０】
図１２は、ＬＥＤ発光素子のクロック幅を変更することによる色補正を説明する図である。このうち、図１２（ａ）は、所定の階調を表示する場合を示す。ここで、ＬＥＤ発光素子の輝度の理論理は５．０ｃｄ／ｍ２とする。
【００６１】
例えば５階調をクロックで表す場合には、図１２（ａ）に示すとおり、常時ＬＥＤ表示盤２に送信される２５５クロックのうち、５クロック分に相当する時間ＬＥＤを点灯させる。
【００６２】
図１２（ｂ）は、ＬＥＤ表示盤２の左上部分を拡大表示した図である。全ドットにつきＲを５階調で表示するものとする。（Ｒのみを対象とし、Ｇ、Ｂについては、ここでは省略する。）ＬＥＤ発光素子の輝度の理論値は５．０ｃｄ／ｍ２であっても、実際には輝度にばらつきにより、誤差が生じる。図１２（ｂ）に示す例では、１列目の最左ドットの輝度が５．１ｃｄ／ｍ２、２列目の最左ドットの輝度が４．８ｃｄ／ｍ２とする。
【００６３】
図１２（ｃ）は、クロック幅を変更する方法を説明する図である。例えば図１２（ｂ）に示す５．１ｃｄ／ｍ２の輝度を補正する場合は、クロック幅を小さく変更する。すなわち、上段の基準となる一定幅のクロックに対して、１クロック目のクロック幅が小さくなるよう調整を行う。実施例では、１クロック目のクロック幅のみを調整し、２クロック目以降については基準のクロック幅としている。補正値が８ビットのビット列で構成され、２５６階調で表される場合は、階調１２８を基準に、±１２８段階で調整をする。そこで、５．１ｃｄ／ｍ２のドットについては、補正値としては、例えば「１２７」を設定しておく。補正値１２７を受信した受信装置７の補正クロック生成部７８は、１段階暗くなるように、上記のとおり１クロック目のクロック幅を小さくする調整をすることにより、色補正を行う。
【００６４】
同様に、４．８ｃｄ／ｍ２のドットについて補正をする場合は、補正値としては、例えば「１３０」を設定しておく。補正値１３０を受信した受信装置７の補正クロック生成部７８は、２段階明るくなるように１クロック目のクロック幅が大きくする調整をすることにより、色補正を行う。
【００６５】
図１３は、補正クロック生成部７８における補正クロック生成処理を説明する図である。
図１３（ａ）は、補正クロック生成用の変換テーブルの構造例を示す図である。受信装置７の補正クロック生成部７８は、予め、図３においては不図示のメモリ等に、図１３（ａ）に示す変換テーブルを保持しておく。
【００６６】
変換テーブルには、輝度の補正値を表す補正データと、点灯用クロックのクロック幅の補正値とを対応付けて格納しておく。ここでは、補正値が１０２４段階可能な場合を例示する。補正値の中央である５１２を基準に、補正値が５１２を下回るかあるいは上回るかに基づき、クロック幅をそれぞれ増減させている。
【００６７】
図１３（ｂ）は、クロック幅の調整の具体例を示す図である。ここでは、受信装置７は、ＬＥＤ表示盤２に対して２５５クロックで階調を伝送するものとする。
上段は、補正値が、１０２４段階のうち中央の値「５１２」である場合の補正クロックを示す。この場合は、補正なしとして、基準クロックの幅である１μｓのクロックを生成する。
【００６８】
中段は、補正値が、中央の値より小さい「５１１」である場合の補正クロックを示す。この場合は、ＬＥＤ表示盤２において輝度を暗くする補正を行うよう、１クロック目のクロック幅を、例えば０．００２μｓ短くする。
【００６９】
下段は、補正値が、中央の値より大きい「５１３」である場合の補正クロックを示す。この場合は、ＬＥＤ表示盤２において輝度を明るくする補正を行うよう、１クロック目のクロック幅を、例えば０．００２μｓ長くする。
【００７０】
図１４は、補正クロックにしたがってＬＥＤ発光素子を制御する方法を説明する図である。図１４を参照して、ＬＥＤ表示盤２が、映像データとともに受信した補正クロックを利用して色補正を行う方法について、具体的に説明する。
【００７１】
図１４においては、上段は、補正クロックを示し、下段は、ＬＥＤ発光素子の点灯／消灯の状態を示す。ここでは、赤色の映像データの色補正を例に説明することとし、点灯／消灯を切り替えるＬＥＤ発光素子は、ＬＥＤユニット３のＬＥＤドット３ａの中の赤色ＬＥＤ発光素子３ｒとする。
【００７２】
図１４の下段に示すように、映像データによれば、最初のフレームでは、階調は２５４であり、次のフレームでは、階調は２であるとする。補正データによれば、Ｒの補正値は、５１１であるとする。
【００７３】
最初のフレームについては、補正クロックのうち、１クロック目のクロック幅は、図１３（ａ）のテーブルより決定され、０．９９８μｓであり、基準とする補正値段階５１２のクロック幅に対し、短く設定される。表現する階調は２５４であるので、２５５のクロックのうち、１クロック目〜２５４クロック目までの期間に渡り赤色ＬＥＤ発光素子３ｒを点灯させ、最後の２５５クロック目は赤色ＬＥＤ発光素子３ｒを消灯させる。
【００７４】
次のフレームでは、同様に１クロック目のクロック幅を０．０９８μｓとし、表現する階調は２であるので、１クロック目〜２クロック目までの期間に渡り赤色ＬＥＤ発光素子３ｒを点灯させ、３クロック目以降は赤色ＬＥＤ発光素子３ｒを消灯させる。
【００７５】
このように、ＬＥＤ表示盤２は、１クロック目については補正値に応じたクロック幅としつつ、補正クロックを参照して、映像データの階調に応じた期間に渡りＬＥＤ発光素子を点灯させることにより、色補正を行った映像を表示させる。
【００７６】
なお、上記の実施形態においては、補正クロックを利用して色補正を行う方法について説明したが、この他には、電流値でＬＥＤ発光素子の輝度を制御する等の公知の方法を用いて色補正を行う構成とすることもできる。
【００７７】
以上説明したように、本実施形態に係る映像表示システム１によれば、映像データと同様のビットマップ形式の補正ビットマップデータを生成し、補正ビットマップデータをフレームごとに映像データとともに伝送する。補正ビットマップデータからＬＥＤユニット３の位置ごとに対応する補正値を取り出し、補正値と対応する補正クロックを生成して、フレームごとに映像のデータとともにＬＥＤ表示盤２に送信する。ＬＥＤ表示盤２の制御部は、映像のデータとともに受信した補正クロックにしたがって、各ＬＥＤユニット３（各ＬＥＤ発光素子３ｒ，３ｇ，３ｂ）を制御し、色補正を行いつつ映像を表示させる。これにより、ＬＥＤ表示盤２において映像を表示中に新たに補正値が設定されたような場合であっても、ＬＥＤ表示盤２の電源を一旦オフにする等の再起動の処理を行わなくとも、色補正を表示に反映させることが可能となる。また、ＬＥＤ表示盤２に補正値を記憶しておくＲＯＭ等も不要となる。
【００７８】
更には、補正ビットマップデータは、ＤＶＩデュアルリンクの２系統目を利用して伝送される。これにより、色補正データを伝送するための専用線が不要となる。すなわち、映像表示システム１内の装置間（映像制御装置５、分配装置６及び受信装置７の間）を接続して色補正データを伝送するために、専用線を設けることが不要となる。
【００７９】
上記においては、ＬＥＤユニット３を発光要素として用いてディスプレイ装置であるＬＥＤ表示盤２に映像を表示させる映像表示システムを例に説明したが、これに限定されるものではない。例えば、発光要素としてプラズマチューブアレイを用いるディスプレイ装置に映像を表示させる映像表示システムに対して上記の色補正方法を適用することも可能である。
【００８０】
なお、本発明は、上述の実施の形態に例示した構成に限らず、その趣旨を逸脱しない範囲で種々変更可能であることは言うまでもない。
【符号の説明】
【００８１】
１      映像表示システム
２      ＬＥＤ表示盤
３      ＬＥＤユニット
３ａ    ＬＥＤドット
３ｂ    青色ＬＥＤ発光素子
３ｇ    緑色ＬＥＤ発光素子
３ｒ    赤色ＬＥＤ発光素子
４      映像出力装置
５      映像制御装置
６      分配装置
７      受信装置
８      色補正ＰＣ
５１    ＤＶＩレシーバ
５２    映像信号格納部
５３    メモリ展開部
５４    ＤＶＩ制御信号生成部
５５    ＤＶＩドライバ部
５６    ＲＳ２３２Ｃ送受信部
５７    補正データ格納部
５８    補正データ展開部
５８ａ  補正データ展開部
５８ｂ  補正データ展開部
５９    ＣＰＵ
６０    ビットマップデータ変換部
７１    ＤＶＩレシーバ
７２    切出部
７３    取込位置設定スイッチ部
７４    ＬＥＤ制御信号生成部
７５    データ振分部
７６    取出部
７７    補正データ合成部
７８    補正クロック生成部
【図１】
2012203118.tif 000003
【図２】
2012203118.tif 000004
【図３】
2012203118.tif 000005
【図４】
2012203118.tif 000006
【図８】
2012203118.tif 000007
【図９】
2012203118.tif 000008
【図１１】
2012203118.tif 000009
【図１２】
2012203118.tif 000010
【図１３】
2012203118.tif 000011
【図１４】
2012203118.tif 000012
【図１５】
2012203118.tif 000013
【図１６】
2012203118.tif 000014
【図１７】
2012203118.tif 000015
【図５】
2012203118.tif 000016
【図６】
2012203118.tif 000017
【図７】
2012203118.tif 000018
【図１０】
2012203118.tif 000019